(57)【要約】【課題】  ＣＭＹ混色グレーが乖離した状態の画像形成装置にグレー補正を実行すると、単色階調性が損なわれる。【解決手段】  上記課題を解決すべく本画像形成装置は、画像形成手段が形成する画像の濃度域を分割し、ＣＭＹのトナーで形成されるグレーのパッチを濃度域ごとに画像形成手段により形成し、グレーのパッチに対して色度値を取得する取得手段と、濃度域ごとのグレーパッチの色度値から得られるクロマ値が閾値以上であるか否かを判定する判定手段と、閾値以上でないと判定されたクロマ値が得られたパッチに対応する第１の濃度域では、得られたクロマ値を用いてクロマ値を減少させるための補正値を生成し、閾値以上であると判定されたクロマ値が得られたパッチに対応する第２の濃度域では、得られたクロマ値を用いずに第１の濃度域において生成された補正値を用いて補間演算を行うことで補正値を生成する生成手段とを有することを特徴とする。【選択図】  図１２
2016100637.tif 000002
【特許請求の範囲】
【請求項１】
画像形成手段が形成する画像の濃度域を分割し、ＣＭＹのトナーで形成されるグレーのパッチを前記濃度域ごとに前記画像形成手段により形成し、該グレーのパッチに対して色度値を取得する取得手段と、
前記取得手段により取得された濃度域ごとのグレーパッチの色度値から得られるクロマ値が閾値以上であるか否かを判定する判定手段と、
前記判定手段により前記閾値以上でないと判定されたクロマ値が得られたパッチに対応する第１の濃度域では、前記得られたクロマ値を用いて該クロマ値を減少させるための補正値を生成し、
前記判定手段により前記閾値以上であると判定されたクロマ値が得られたパッチに対応する第２の濃度域では、前記得られたクロマ値を用いずに前記第１の濃度域において生成された補正値を用いて補間演算を行うことで補正値を生成する生成手段と、
を有することを特徴とする画像形成装置。
【請求項２】
前記生成手段により前記生成された補正値を用いて、前記画像形成手段が形成する画像の補正を行うことを特徴とする請求項１に記載の画像形成装置。
【請求項３】
前記判定手段による判定に用いられるクロマ値を得るために用いられるグレーのパッチは、該パッチを形成するためのＣＭＹのトナーそれぞれの信号値が均一であることを特徴とする請求項１に記載の画像形成装置。
【請求項４】
前記ＣＭＹのトナーで形成されるパッチは複数のパッチで構成され、
該複数のパッチそれぞれは、前記ＣＭＹのトナーのうちの２種類のトナーに対応する信号値を変化させた値を有することを特徴とする請求項１に記載の画像形成装置。
【請求項５】
前記ＣＭＹのトナーで形成されるパッチは複数のパッチで構成され、
該複数のパッチそれぞれは、前記ＣＭＹのトナーのうちの２種類のトナーに対応する信号値を変化させた値を有し、
前記生成手段は、前記第１の濃度域における補正値を、前記複数のパッチを測定して得られた色度値から得られるクロマ値のうち最小のクロマ値を用いて生成することを特徴とする請求項１に記載の画像形成装置。
【請求項６】
前記取得手段により取得される色度値は、Ｌ＊ａ＊ｂ＊値またはＬ＊Ｃ＊ｈ＊値であることを特徴とする請求項１に記載の画像形成装置。
【請求項７】
前記第２の濃度域において、
前記グレーのパッチの色度値から色相のシフト方向を判定するシフト方向判定手段をさらに有し、
前記シフト方向判定手段により判定されたシフト方向に対応したパッチを測定して取得した色度値から得られたクロマ値を０に近づけるための補正値を生成することを特徴とする請求項１に記載の画像形成装置。
【請求項８】
画像形成手段が形成する画像の濃度域を分割し、ＣＭＹのトナーで形成されるグレーのパッチを前記濃度域ごとに前記画像形成手段により形成し、該グレーのパッチに対して色度値を取得する取得ステップと、
前記取得ステップにて取得された濃度域ごとのグレーパッチの色度値から得られるクロマ値が閾値以上であるか否かを判定する判定ステップと、
前記判定ステップにて前記閾値以上でないと判定されたクロマ値が得られたパッチに対応する第１の濃度域では、前記得られたクロマ値を用いて該クロマ値を減少させるための補正値を生成し、
前記判定ステップにて前記閾値以上であると判定されたクロマ値が得られたパッチに対応する第２の濃度域では、前記得られたクロマ値を用いずに前記第１の濃度域において生成された補正値を用いて補間演算を行うことで補正値を生成する生成ステップと、
を有することを特徴とする画像形成装置の制御方法。
【請求項９】
コンピュータに請求項８に記載の制御方法を実行させるためのプログラム。
【発明の詳細な説明】
【技術分野】
【０００１】
本発明は、色補正を行うことが可能な画像形成装置、および画像形成装置における色補正方法に関する。
【背景技術】
【０００２】
画像形成装置において様々な要因で発生する変動を抑制し、画像形成装置にて形成される画像の色を安定させる目的で、キャリブレーションが行われる。従来、画像形成装置の色補正方法であるキャリブレーションについて、多くの技術が提案されている。それら技術の中で、Ｇ７キャリブレーションと呼ばれる、グレー補正に特化したキャリブレーションが存在する（特許文献１および非特許文献１参照）。
【０００３】
図３は、Ｇ７キャリブレーションで用いられる、グレー判定パッチを表す図である。
図６は、Ｇ７キャリブレーションにおける、濃度域毎のグレー補正を表す図である。
【０００４】
Ｇ７キャリブレーションは、ＣＭＹＫそれぞれの単色を補正する補正カーブを生成する技術である。
Ｇ７キャリブレーションは、以下の（１）〜（３）の工程を実行する。
（１）濃度値に基づいてＣＭＹＫ単色階調性を補正する補正カーブを生成した後、ＣＭＹのトナーで形成されるグレー（以下、ＣＭＹ混色グレー）ＣＭＹ混色グレーについてシアンの信号値（使用するトナー量）を固定する。
（２）そして、マゼンタの信号値とイエローの信号値をプラス側の値およびマイナス側の値に変化させて連続的な信号値を有する複数のパッチで構成されるグレー判定パッチ３０１を測色する。
（３）この中から、グレー判定パッチ３０１を構成する複数のパッチのうち、色度値において最もグレーに近いパッチにおいて設定されている、マゼンタの濃度値とイエローの濃度値である調整値を判別する。
【０００５】
Ｇ７キャリブレーションは、このグレー判定パッチ３０１を、低濃度域から高濃度域（ＣＭＹ信号の合計値が３００％）まで複数の濃度域において印刷する。そしてこのチャートを測色し、グレーに補正するためのマゼンタ・イエローの調整値を判別することで、ＣＭＹＫそれぞれの補正カーブを生成する。この生成された補正カーブを画像形成装置から出力されるＣＭＹＫの濃度値に反映させることで、より視覚的に中立なグレーを色再現することが可能となる。
【先行技術文献】
【特許文献】
【０００６】
【特許文献１】米国特許出願公開２００８／０２７３０５２号明細書
【発明の概要】
【発明が解決しようとする課題】
【０００７】
しかしながら、上記のＧ７キャリブレーションは、用いられる画像形成装置がオフセット印刷方式であることを前提とした手法である。オフセット印刷装置では、ＣＭＹの信号値の総和が３００％であっても、ある程度の中立なグレーを色再現することができる。
【０００８】
一方、装置の特性にも依存するが、乾式電子写真方式の画像形成装置ではＣＭＹの信号値の総和がおよそ２００％を超えてくると、トナーが画像形成媒体に転写しきれなかったり、定着しきれなかったりする。
【０００９】
このため、一般に乾式電子写真方式の画像形成装置では、一度の定着に用いることができる色材に対して載り量制限装置が設けられる。一度の定着に用いる色材の量が載り量制限値を超える場合、色材の量に対応する信号値の組合せを変更し、載り量制限値を超えないように信号値を変更する処理が行われる。
【００１０】
この転写および定着が不良を起こす現象および、この信号値の変更による影響で、高濃度域においてＣＭＹ混色グレーのＬ＊ａ＊ｂ＊色空間における、ａ＊およびｂ＊の絶対値が、グレー軸から乖離してしまうことが多い。
【００１１】
Ｌ＊ａ＊ｂ＊色空間において、ａ＊およびｂ＊の絶対値が大きくなる、すなわちグレー軸から乖離すると、視覚的にはグレーが緑や赤のような色が混ざったグレーに見えてしまう。
【００１２】
図８は、画像形成装置におけるグレー軸からの乖離を表すグラフである。
【００１３】
点線のグラフはアメリカにおけるオフセット方式の画像形成装置を基準としたＧＲＡＣｏＬ標準におけるグレー軸からの乖離を表す。一方、実線は乾式電子写真方式の画像形成装置におけるグレー軸からの乖離を表す。
【００１４】
また、グラフの横軸はＣＭＹ混色グレーの信号値和を表す。縦軸はＣＭＹ混色グレーのグレー軸からの乖離を表す。なお、それぞれの値は、ＣＩＥ  Ｌ＊Ｃ＊ｈ＊色空間におけるＣ＊（クロマ値）で表したものである。
【００１５】
この図８のグラフにおいて、乾式電子写真方式の画像形成装置においては、高濃度域において、ＣＭＹ混色グレーが大きくグレー軸から乖離、すなわちクロマ値が大きくなっていることが分かる。横軸に並行に描かれた二重線は、予め定められた閾値Ｔｈを表す。図８の例では、ΔＣ＊で１．５に設定されている。
【００１６】
図７は、オフセット方式の画像形成装置におけるＣＭＹの補正カーブを表すグラフである。
【００１７】
図９は、乾式電子写真方式の画像形成装置におけるＣＭＹの補正カーブを表すグラフである。
【００１８】
図８のオフセット方式の状態でグレー補正を行うと、図７のように、補正カーブは滑らかな状態である。一方、図８の電子写真方式の状態（高濃度域がグレー軸から大きく乖離した状態）でグレー補正を行うと、図９におけるマゼンタのように、カーブが複雑な形状となり、階調段差が発生してしまう。
【００１９】
よって、乾式電子写真方式の画像形成装置においてＧ７キャリブレーションのようなグレー補正を実行すると、中立なグレーの色再現は可能になる。しかしその一方で、ＣＭＹ単色の階調段差が発生するため、ＣＭＹ単色の階調性が大きく犠牲となってしまう問題が起こり得る。
【課題を解決するための手段】
【００２０】
上記の課題を解決するために、本発明の画像形成装置は、画像形成手段が形成する画像の濃度域を分割し、ＣＭＹのトナーで形成されるグレーのパッチを前記濃度域ごとに前記画像形成手段により形成し、該グレーのパッチに対して色度値を取得する取得手段と、前記取得手段により取得された濃度域ごとのグレーパッチの色度値から得られるクロマ値が閾値以上であるか否かを判定する判定手段と、前記判定手段により前記閾値以上でないと判定されたクロマ値が得られたパッチに対応する第１の濃度域では、前記得られたクロマ値を用いて該クロマ値を減少させるための補正値を生成し、前記判定手段により前記閾値以上であると判定されたクロマ値が得られたパッチに対応する第２の濃度域では、前記得られたクロマ値を用いずに前記第１の濃度域において生成された補正値を用いて補間演算を行うことで補正値を生成する生成手段とを有することを特徴とする。
【発明の効果】
【００２１】
本発明によれば、単色補正カーブに基づいたグレー補正を実施する際に、グレー以外の単色および混色階調性が低下することを防ぐことが可能になる。
【図面の簡単な説明】
【００２２】
【図１】実施例における画像形成装置を表すブロック図
【図２】実施例における分光センサーによる測定チャートの読み取りについて表す図
【図３】Ｇ７キャリブレーションで用いられる、グレー判定パッチを表す図
【図４】実施例における画像形成装置のコントローラの構成を表すブロック図
【図５】実施例におけるソフトウェアモジュールを表すブロック図
【図６】Ｇ７キャリブレーションにおける、濃度領毎のグレー補正を表す図
【図７】オフセット方式の画像形成装置におけるＣＭＹの補正カーブを表すグラフ
【図８】画像形成装置におけるグレー軸からの乖離を表すグラフ
【図９】乾式電子写真方式の画像形成装置におけるＣＭＹの補正カーブを表すグラフ
【図１０】実施例１に係る画像形成装置１００のコントローラ１３０による制御処理を説明するフローチャート
【図１１】実施例１に係る画像形成装置１００のコントローラ１３０による制御処理を説明するフローチャート
【図１２】実施例１におけるマゼンタの補正カーブについて表す図
【図１３】実施例におけるパッチ管理テーブルを表す図
【図１４】実施例２における高濃度域のグレー色相シフト方向判定用チャートを表す図
【図１５】実施例２における測定チャートの種類と流れを表す図
【図１６】実施例２に係る画像形成装置１００のコントローラ１３０による制御処理を説明するフローチャート
【図１７】実施例１における濃度域シフト量テーブルについて表す図
【図１８】実施例２におけるグレーシフト方向と補正バイアス、固定する色の関連付けを表す表
【図１９】本発明の実施例におけるグレー軸の定義を表すグラフ
【発明を実施するための形態】
【００２３】
以下、添付図面を参照して本発明の実施例を詳しく説明する。尚、以下の実施例は特許請求の範囲に係る本発明を限定するものでなく、また本実施例で説明されている特徴の組み合わせの全てが本発明の解決手段に必須のものとは限らない。
【実施例１】
【００２４】
＜装置構成＞
図１は、本実施例における画像形成装置を表すブロック図である。
【００２５】
なお、本実施例の画像形成装置は、乾式電子写真方式の画像形成装置を用いて説明するが、これは湿式電子写真（液体現像）方式など様々な画像形成方式を用いる画像形成装置でも成立する。また、グレー補正においては色度値（ＣＩＥ  Ｌ＊ａ＊ｂ＊あるいはＣＩＥ  Ｌ＊Ｃ＊ｈ＊）を用いてキャリブレーションを実行しているが、反射濃度や分光スペクトル分布などの別の測定基準に基づいたグレー補正においても成立する。
【００２６】
画像形成装置１００は、現像ステーション１０１と定着ステーション１０２、給紙デッキ１０９から構成される。コントローラ１３０は、各々の装置の制御を司る制御部である。操作部１５０は、ＬＣＤとタッチパネルを兼ね備え、画像形成装置のオペレーターが印刷状況を確認したり、各種設定をしたりすることができる。スキャナ１６０は、原稿を読み取り、画像情報としてコントローラ１３０に転送することにより、コピー機能が可能となる。ＣＭＹＫそれぞれの現像ユニット１０４〜１０７において、コントローラ１３０からの入力画像が、各現像器に内蔵される感光ドラム（不図示）に現像され、トナーが現像部に付着して感光ドラム上でトナー像が形成される。この現像されたＣＭＹＫそれぞれのトナー像が、ＩＴＢ１０８に転写される。
【００２７】
図２は、本実施例における分光センサーによる測定チャートの読み取りについて表す図である。
【００２８】
反転ユニット１４０には、複数の分光センサー１７０を並列に設置することができる。本実施例では、２個の分光センサー１７０が設置されている。反転ユニット１４０に搬送された測定チャート２０１は、反転ユニット１４０の下端でスイッチバックされ、上方向に搬送されながら、分光センサー１７０により測定チャート２０１上に画像形成されている測定パッチ２０２を連続で読み取りが行われる。
【００２９】
なお、この装置内部にある分光センサー１７０でなく、画像形成装置に外部接続される分光測色器を使う場合は、ユーザーが測定チャート２０１を取り出し、外部接続された分光測色器を用いて測定パッチの読み取りを行う。
【００３０】
＜コントローラ構成＞
図４は、本実施例における画像形成装置のコントローラの構成を表すブロック図である。
【００３１】
中央演算装置（ＣＰＵ）４０１は、ＲＡＭ４０３に展開されたプログラムを実行して、装置内の各部の制御、演算を司る。ＲＡＭ４０３は、プログラムの格納領域、及び各種データの一時記憶領域、及びワークメモリとして利用される。ハードディスクドライブ（ＨＤＤ）４０４は大容量の記憶装置であり、ＣＰＵ４０１により実行される各種制御プログラムをインストールしている。またＨＤＤ４０４は、処理対象の各種データの一時的な記憶領域としても利用される。ＲＯＭ４０６は、画像形成装置の起動処理プログラムや不揮発性のデータを格納するための記憶装置である。画像形成装置の電源がオンされるとＲＯＭ４０６に格納された起動処理プログラムが起動されて、ＨＤＤ４０４にインストールされているＯＳや制御プログラムが読み出されてＲＡＭ４０３に展開してロードされる。そしてＣＰＵ４０１は、そのＲＡＭ４０３に展開されたプログラムに従って処理を実行し、後述する各種制御処理を実行する。ネットワークインターフェイス（Ｉ／Ｆ）４０２は、外部ネットワークを介してクライアントコンピュータ４３０などの他の装置と通信を行う。プリンタエンジンインターフェイス（Ｉ／Ｆ）４０５は、プリンタエンジン４２０との通信及び制御を司る。システムバス４０７は、ＣＰＵ４０１と上述した各部とを接続するバスで、制御信号やアドレス、データ等を伝達する。
外部接続された分光測色器を用いる場合は、クライアントコンピュータ４３０に接続される不図示の分光測色器から、ネットワークインターフェイス（Ｉ／Ｆ）４０２を介して測定値の情報が送信される。
【００３２】
プリンタエンジン４２０は、図１に示す現像ステーション１０１と定着ステーション１０２の制御を司るプリンタエンジン制御基板４０８と、分光センサー１７０および１８０の制御を司る分光センサー制御部４０９から構成される。
【００３３】
クライアントコンピュータ４３０には、ＨＤＤ４５１が装備され、プリンタドライバ４５０がインストールされている。プリンタドライバ４５０は、クライアントコンピュータの描画命令を、画像形成装置１００が出力可能なＰＤＬデータに変換する。また、プリンタドライバ４５０は、各種画像形成装置の設定をＰＤＬデータに付与して、画像形成装置１００に送信する。
【００３４】
＜ソフトウェアモジュール構成＞
図５は、本実施例におけるソフトウェアモジュールを表すブロック図である。
【００３５】
各々のソフトウェアモジュールの機能は、ＲＡＭ４０３に展開された制御プログラムをＣＰＵ４０１が実行することにより実現される。
【００３６】
ジョブコントローラ１３０は、画像形成装置の主幹制御を司るモジュールである。
【００３７】
キャリブレーション実行制御部５０１は、キャリブレーションの実行の主幹制御を司るモジュールである。
【００３８】
パラメータ保持部５０２は、ＲＡＭ４０３、ＲＯＭ４０６およびＨＤＤ４０４に保存されている、キャリブレーションの実行に関連付けられたパラメータを読みだしたり、保存したりする。
【００３９】
測定パッチ生成部５０３は、キャリブレーション実行制御部５０１の指示に基づいて、キャリブレーションに必要な測定チャート画像を生成する。
【００４０】
ジョブ送信部５０４は、測定パッチ生成部５０３で生成された測定チャート画像をプリンタエンジン制御部５１０に送信し、指定されたシート状に画像形成させる。
【００４１】
色度値処理部５０５は、プリンタエンジン制御部５１０から、分光センサー制御部４０９を介して計測された分光スペクトルデータを受信し、色度値に変換する。
【００４２】
＜印刷フロー＞
次に、本実施例における画像形成装置１００の制御について説明する。
【００４３】
図１０は、本実施例に係る画像形成装置１００のコントローラ１３０による制御処理を説明するフローチャートである。
【００４４】
図１１は、本実施例に係る画像形成装置１００のコントローラ１３０による制御処理を説明するフローチャートである。
【００４５】
尚、この処理を実行するプログラムは、上述したようにＲＡＭ４０３に展開されており、ＣＰＵ４０１がこの制御プログラムを実行することにより、このフローチャートで示す処理が実行される。
【００４６】
なお、本実施例では、図６に示したように濃度域の分割数は６つである場合を例として説明する。
分割された濃度域ごとに図３に示したようなグレー判定パッチが形成される。
【００４７】
低濃度域から高濃度域にかけて順番にパッチ６０１、６０２、６０３、６０４、６０５、６０６が形成される。これらのパッチはそれぞれ連続的な信号値を有する複数のパッチで構成されている。各パッチの詳細については図１３を用いて説明する。なお、このそれぞれのパッチの中央に配置されるパッチを中央グレーパッチ３０２と呼ぶ。
【００４８】
ステップＳ１０００で、ジョブコントローラ１３０による処理が開始される。ステップＳ１００１で、キャリブレーション実行制御部５０１が、操作部１５０を介して、ユーザーからグレーのみを補正するグレー補正の実行指示を受信する。
【００４９】
ステップＳ１００２で、キャリブレーション実行制御部５０１は、測定パッチ生成部５０３に対し、グレー補正のための測定チャートの生成を指示する。測定パッチ生成部５０３は、パラメータ保持部５０２より、パッチ管理テーブル１３０１を取得し、測定チャートを生成する。次に測定パッチ生成部５０３は、ジョブ送信部５０４に対し、生成した測定チャートの印刷指示を行う。ジョブ送信部５０４は、プリンタエンジン制御部５１０に対し、生成した測定チャートの印刷を指示する。プリンタエンジン制御部５１０は、生成した測定チャートの印刷をキャリブレーション対象のシートに対して行う。
ステップＳ１００３で、キャリブレーション実行制御部５０１は、色度値処理部５０５に対し、印刷された測定チャートの測定を指示する。
【００５０】
たとえば、図６の６０７のような、各濃度域に対応したグレー判定パッチが含まれる測定チャートが印刷される。
【００５１】
色度値処理部５０５は、プリンタエンジン制御部５１０に対し、印刷された測定チャートの測定を指示する。プリンタエンジン制御部５１０は、分光センサー制御部４０９に指示し、分光センサー１７０を用いて印刷された測定チャートの測定を行う。なお、外部接続された分光測色器を用いる場合は、ユーザーが印刷されたチャートを取り出し、手動で分光測色器を用いて測定を行う。色度値はクライアントコンピュータ４３０よりジョブコントローラ１３０まで送付される。
【００５２】
ステップＳ１００４で、キャリブレーション実行制御部５０１は、色度値処理部５０５を介して測色した全パッチの色度値を取得する。
【００５３】
図１３は、本実施例におけるパッチ管理テーブルを表す図である。
【００５４】
パッチ管理テーブル１３０１は、パラメータ保持部５０２に格納されている。パッチ管理テーブル１３０１は、測定チャートに含まれグレー補正に用いる全てのパッチについて、ＩＤとＣＭＹＫの信号値、そのパッチが対象とする濃度域、Ｃシフト量、Ｍシフト量、およびＹシフト量の情報から構成されている。それぞれのシフト量は、グレー補正に用いるパッチでシアンとマゼンタとイエローとを変化させた量に連動し、補正カーブの信号値をプラスまたはマイナス方向に加減する量である。ＣＭＹのシフト量全てがゼロ、すなわちＣＭＹがそれぞれ均一な信号値で構成されるパッチは、各濃度域における中央グレーパッチである。また、同じ濃度域に属する複数のパッチが集まって１つのグレー判定パッチを構成する。
【００５５】
図６の各グレー判定パッチと対応させると、具体的にはパッチＩＤ１のパッチは図６のグレー判定パッチ６０１を構成するパッチの１つである。また、パッチＩＤ１のパッチはＣＭＹのシフト量が全てゼロであるので、グレー判定パッチ６０１の中央グレーパッチに対応する。
【００５６】
同様に、パッチＩＤ２は図６のグレー判定パッチ６０２を構成するパッチの１つ、パッチＩＤ３のパッチは図６のグレー判定パッチ６０３を構成するパッチの１つである。
【００５７】
パッチＩＤ４のパッチは図６のグレー判定パッチ６０４を構成するパッチであり、ＣＭＹシフト量が全て０であるので、グレー判定パッチ６０４の中央グレーパッチに対応する。
【００５８】
また、パッチＩＤ５のパッチは図６のグレー判定パッチ６０５を構成するパッチの１つであり、パッチＩＤ６、ＩＤ７のパッチはそれぞれ図６のグレー判定パッチ６０６を構成するパッチである。パッチＩＤ６のパッチはＣＭＹシフト量が全て０であるので、グレー判定パッチ６０６の中央グレーパッチに対応する。
【００５９】
ステップＳ１００５で、キャリブレーション実行制御部５０１は、パラメータ保持部５０２より、パッチ管理テーブル１３０１を取得する。濃度域を参照し、信号値の低いグレー判定パッチから順に、グレー判定パッチの中央に配置される中央グレーパッチのＣＭＹＫ値に対応する測色された色度値を取得する。
【００６０】
ステップＳ１００６で、キャリブレーション実行制御部５０１は、取得した中央グレーパッチの色度値の、グレー軸からの乖離値（クロマ値：ＣＩＥ  Ｃ＊）を取得する。
【００６１】
ステップＳ１００７で、キャリブレーション実行制御部５０１は、パラメータ保持部５０２に格納された予め定められた閾値を取得する。キャリブレーション実行制御部５０１は、グレー軸からの乖離を表すクロマ値と、取得した閾値を比較し、閾値を超えているかどうかを判断する。ここで、グレー軸からの乖離を表すクロマ値と、取得した閾値を超えないと判断した場合、ステップＳ１００８に移行する。
【００６２】
図１９は、本実施例におけるグレー軸の定義を表すグラフである。
【００６３】
ＣＩＥ  Ｌ＊ａ＊ｂ＊色空間において、紙の地色が青っぽい白である場合、明度値Ｌ＊の最も大きな値における位置（すなわち紙の地色）は、図１９（ａ）に示すようにａ＊は正の方向、図１９（ｂ）に示すようにｂ＊は負の方向になる。この紙の地色から、画像形成装置が当該媒体上で表現できる最も暗い色のＬ＊の値の位置であって、ａ＊およびｂ＊がゼロの点に向けて結ばれた直線を、グレー軸と定義している。このグレー軸からの乖離値をＣＩＥ  Ｃ＊で算出する。
【００６４】
ステップＳ１００８で、キャリブレーション実行制御部５０１は、パラメータ保持部５０２に格納されているパッチ管理テーブル１３０１を参照し、得られたクロマ値と閾値との比較が、図６における全濃度域の中央グレーパッチに対して行われたかどうかを判断する。すでに全濃度域の中央グレーパッチの色度値の測定結果から得られたクロマ値に対して閾値との比較が行われたと判断された場合、ステップＳ１００９に移行する。ステップＳ１００９で、キャリブレーション実行制御部５０１は、全濃度域において閾値を超えるクロマ値を持つ中央グレーパッチが見つからなかったと判断し、高濃度域境界値を１００％と設定し、パラメータ保持部５０２に格納する。
【００６５】
ここで高濃度域境界値は、クロマ値が閾値を超えた時点のＣＭＹ混色グレーの信号値の総和であり、この高濃度域境界値に基づいて、後述の処理が切り替えられる。
【００６６】
ステップＳ１００８において、まだ全濃度域の中央グレーパッチの色度値の測定結果から得られたクロマ値に対して閾値との比較が行われていないと判断した場合、ステップＳ１００５に戻る。そして、未だ判定していない濃度域の中央グレーパッチの色度値の測定結果から得られたクロマ値と閾値の比較を行う。
【００６７】
ステップＳ１００７で、キャリブレーション実行制御部５０１が、グレー軸からの乖離を表すクロマ値が、取得した閾値を超えていると判断した場合、ステップＳ１０１０に移行する。
【００６８】
ステップＳ１０１０で、キャリブレーション実行制御部５０１は、閾値を超えた濃度域が、高濃度域境界値であると判断し、パラメータ保持部５０２に保存し、ステップＳ１０２０において図１１のフローチャートに移行する。
【００６９】
図１１のステップＳ１１０１で、キャリブレーション実行制御部５０１は、パラメータ保持部５０２より、パッチ管理テーブル１３０１を取得する。キャリブレーション実行制御部５０１は、パッチ管理テーブル１３０１におけるパッチＩＤを濃度域の低い順に並べ替える。並べ替えを行ったパッチ管理テーブル１３０１を、同一の濃度域になるすべてのパッチ情報をひとつのグループとする。そして、
このグループに対応する濃度域のグレー判定パッチを構成するパッチを測色して色度値を取得する。
【００７０】
ステップＳ１１０２で、キャリブレーション実行制御部５０１は、パラメータ保持部５０２を参照し、ステップＳ１０１０で保存した高濃度域境界値を取得する。キャリブレーション実行制御部５０１は、ステップＳ１１０１で取得したグレー判定パッチに対応する濃度域が、高濃度域境界値を上回るかどうかを判断する。
【００７１】
ここで、グレー判定パッチに対応する濃度域が高濃度域境界値以下の濃度域であると判断した場合、ステップＳ１１０３に移行する。ステップＳ１１０３で、キャリブレーション実行制御部５０１は、ステップＳ１１０１で取得したグレー判定パッチを構成する複数のパッチを測色して得られた色度値の中から、最もグレー軸に近い（クロマ値が最小）パッチを選択する。この選択されたパッチのクロマ値をシフト量とする。そして、各濃度域のシフト量をまとめたテーブルを濃度域シフト量テーブルとしてパラメータ保持部５０２に保存する。
【００７２】
図１７は、本実施例における濃度域シフト量テーブルについて表す図である。
【００７３】
濃度域シフト量テーブルは、補正濃度域と、それぞれの濃度域において最もグレー軸に近いパッチのＭシフト量とＹシフト量を関連付ける表である。
【００７４】
各濃度域において、図１７に示されたようなシフト量を補正値として用いたグレー補正を行う。
【００７５】
すなわち、入力信号に対して、図１７に示される濃度域ごとに取得されたシフト量（補正値）を用いてＣＭＹそれぞれの信号値を補正し、その結果を出力信号とする。
【００７６】
ステップＳ１１０４で、キャリブレーション実行制御部５０１は、パラメータ保持部５０２に格納されているパッチ管理テーブル１３０１を参照し、ステップＳ１１０３におけるグレー補正の実行が、全濃度域に対して行われたかどうかを判断する。まだ全濃度域に対してグレー補正が行われていないと判断された場合、ステップＳ１１０１に戻り、次のグループ化された濃度域に対してステップＳ１１０２以降の処理を実行する。
【００７７】
ステップＳ１１０２で、キャリブレーション実行制御部５０１により、グレー判定パッチに対応する濃度域が高濃度域境界値以上の領域であると判断された場合、ステップＳ１１０５に移行する。
【００７８】
ステップＳ１１０５で、キャリブレーション実行制御部５０１は、パラメータ保持部５０２を参照し、高濃度域境界値以下の濃度域におけるＭシフト量とＹシフト量を各々取得する。キャリブレーション実行制御部５０１は、取得した、低中濃度域のＭシフト量とＹシフト量に基づいて、高濃度域におけるＭシフト量とＹシフト量を補間計算して得られた補正値を、パラメータ保持部５０２に保存する。
【００７９】
ここで行われる補間計算は、低中濃度域におけるシフト量を用いてから多項式近似式を算出し、この近似式に基づいて高濃度域のＭシフト量とＹシフト量を算出する。
【００８０】
ステップＳ１１０６で、キャリブレーション実行制御部５０１が、パラメータ保持部５０２を参照し、濃度域シフト量テーブルより全濃度域に対するＭシフト量とＹシフト量を各々取得する。
【００８１】
キャリブレーション実行制御部５０１は、取得したＭシフト量とＹシフト量より、補間計算を用いてマゼンタとイエローとのそれぞれの補正カーブを生成し、ステップＳ１１９９において処理を終了する。
【００８２】
このように、高濃度域境界値以下の濃度域（中低濃度域）では、目標値であるグレー軸（クロマ値が０）との差分を補正するためのシフト量（補正値）を取得するためにキャリブレーションを行う。すなわち、補正値を用いて測定値のクロマ値を減少させる。
一方、高濃度域境界値以上の濃度域では、補正するためのシフト量（補正値）を取得するためにキャリブレーションを行わずに補間演算を行う。このように全濃度域における補正値を生成する。
【００８３】
図１２は、本実施例におけるマゼンタの補正カーブについて表す図である。
【００８４】
破線グラフが従来技術（Ｇ７キャリブレーション）をそのまま乾式電子写真方式の画像形成装置において適用した場合に形成される補正カーブ、実線グラフが本実施例で説明した技術により形成される補正カーブである。このグラフにおいて、網掛けされた部分が、高濃度域であると判断された領域である。例えば乾式電子写真方式の画像形成装置における高濃度域のグレーが、緑方向に色転びしている（緑が混ざったグレーである）場合を考える。この場合、色相の逆方向にあるマゼンタを増加させる方向に補正が働き、破線グラフのようにマゼンタが高濃度域だけ強調され、階調性が失われてしまう。
【００８５】
一方、本実施例では、高濃度域においてグレー軸からの乖離が大きい（クロマ値が閾値以上の）場合、階調性が失われると判断し、高濃度域では自動的にグレー補正を行わず補間アルゴリズムを実行することにより、滑らかな階調性を保つことが可能となる。
【００８６】
また、この階調性が失われるか否かの判断は画像形成装置内部で行われ、画像形成装置あるいは画像形成媒体によって異なるグレーの色転び（グレーに対して他の色が混ざってしまうか否か、すなわちクロマ値が閾値以上であるか否か）を自動的に判断できる。よって、階調性を保つことが可能となる。
【００８７】
また、従来、オフセット印刷方式で用いられていた技術（グレー補正と同一のグレー判定パッチを用いた処理フロー）が乾式電子写真方式の画像形成装置でも使用可能である。
【００８８】
また本実施例では、グレー軸から乖離した高濃度域のグレーを補正できないため、高濃度域ではグレー色が色転びした（特定の色が混ざった）状態になってしまう。よって、暗いグレーの色再現は低下してしまう。
【００８９】
しかし、人間の視覚は低中濃度域よりも高濃度域の色に鈍感なため、本実施例では、目立ちにくい。よって暗いグレーの色再現は低下しつつも、人間の視覚に対して色の差が目立つ低中濃度域の階調性は滑らかに補正することが可能となる。
【００９０】
なお、本実施例ではＧ７キャリブレーションを行うことで、グレー補正を行っているが、グレー補正以外の単色階調性に対する補正は画像形成装置の備えるキャリブレーション機能により行われる。
【００９１】
また、画像形成装置に内蔵されたコントローラによる制御について説明したが、これはクライアントコンピュータ上で実行してもよい。
【実施例２】
【００９２】
実施例１においては、グレー軸からの乖離（クロマ値）を判断し、閾値を上回った領域において補間アルゴリズムを実行することで、階調性を維持する方法について説明した。
【００９３】
本実施例では、グレー軸の高濃度域における乖離を、色相においてどの方向に色転びしているかを判定し、グレーを中立に戻しながら補正カーブを滑らかに補正する方法について説明する。
【００９４】
本実施例において、キャリブレーション実行制御部５０１は、実施例１において説明した高濃度域境界値の判定処理を、図１０におけるステップＳ１０００からＳ１０２０と同一の処理で行う。
【００９５】
図１６は、本実施例に係る画像形成装置１００のコントローラ１３０による制御処理を説明するフローチャートである。
【００９６】
ステップＳ１６１１で、キャリブレーション実行制御部５０１は、パラメータ保持部５０２を参照し、ステップＳ１０１０で保存した高濃度域境界値が１００％、つまりグレー軸からの乖離（クロマ値）が閾値以下かどうかを判断する。ここで、高濃度域境界値が１００％である場合、ステップＳ１６０７に移行する。高濃度域境界値が１００％ではない場合、ステップＳ１６０１に移行する。
【００９７】
ステップＳ１６０１で、キャリブレーション実行制御部５０１は、測定パッチ生成部５０３に対し、高濃度域の色相シフト方向の判定用測定チャートの生成を指示する。測定パッチ生成部５０３は、パラメータ保持部５０２より、測定チャートを生成する。次に測定パッチ生成部５０３は、ジョブ送信部５０４に対し、生成した測定チャートの印刷指示を行う。ジョブ送信部５０４は、プリンタエンジン制御部５１０に対し、生成した測定チャートの印刷を指示する。プリンタエンジン制御部５１０は、生成した測定チャートの印刷をキャリブレーション対象のシートに対して行う。
【００９８】
ステップＳ１６０３で、キャリブレーション実行制御部５０１は、色度値処理部５０５に対し、印刷された測定チャートの測定を指示する。色度値処理部５０５は、プリンタエンジン制御部５１０に対し、印刷された測定チャートの測定を指示する。プリンタエンジン制御部５１０は、分光センサー制御部４０９に指示し、分光センサー１７０を用いて印刷した測定チャートの測定を行う。外部接続された分光測色器を用いる場合は、ユーザーが印刷されたチャートを取り出し、手動で分光測色器を用いて測定を行う。色度値はクライアントコンピュータ４３０よりジョブコントローラ１３０まで送付される。
【００９９】
ステップ１６０３で、キャリブレーション実行制御部５０１は、測定された高濃度域色相シフト判定パッチの結果より、色相シフト方向を判定する。
【０１００】
図１４は、本実施例における高濃度域のグレー色相シフト方向判定用チャート１４０１を表す図である。
【０１０１】
高濃度域の色相シフト方向判定用チャート１４０１には、中央に高濃度域のグレーのパッチが配置される。このパッチの周りにａ＊、ｂ＊方向にそれぞれ値をプラスおよびマイナス方向に変化させたパッチが配置されている。このチャートを印刷し、これらのパッチからグレー軸に近いパッチ（クロマ値が０に近いパッチ）を選択する。これにより、高濃度域におけるグレーの色相シフトがどの方向に起こっているのかを判定することができる。
【０１０２】
ステップＳ１６０４で、キャリブレーション実行制御部５０１は、判定した色相シフト方向より、グレー判定パッチにおいて固定する色の判定を行う。
【０１０３】
図１８は、本実施例におけるグレーシフト方向と補正バイアス、固定する色の関連付けを表す表である。
【０１０４】
選択されたパッチのグレーの色相シフトが例えば緑（Ｇ）方向にシフトしていると判定されると、オフセット印刷機を前提としているＧ７キャリブレーションでは、シアンを固定し、マゼンタとイエローを調整するため、マゼンタを大きく補正しなければならない。これを避けるため、マゼンタを固定し、シアンとイエローを補正することで、より変化量の少ない補正カーブを生成することができる。このような対応表に基づいて、キャリブレーション実行制御部５０１は、チャートを出力する際に固定する色の判定を行う。
【０１０５】
ステップＳ１６０５で、キャリブレーション実行制御部５０１は、測定パッチ生成部５０３に対し、判定した固定色に対応した測定チャートの生成を指示する。測定パッチ生成部５０３は、パラメータ保持部５０２より、測定チャートを生成する。次に測定パッチ生成部５０３は、ジョブ送信部５０４に対し、生成した測定チャートの印刷指示を行う。ジョブ送信部５０４は、プリンタエンジン制御部５１０に対し、生成した測定チャートの印刷を指示する。プリンタエンジン制御部５１０は、生成した測定チャートの印刷をキャリブレーション対象のシートに対して行う。
【０１０６】
ステップＳ１６０６で、キャリブレーション実行制御部５０１は、色度値処理部５０５に対し、印刷された測定チャートの測定を指示する。色度値処理部５０５は、プリンタエンジン制御部５１０に対し、印刷された測定チャートの測定を指示する。プリンタエンジン制御部５１０は、分光センサー制御部４０９に指示し、分光センサー１７０を用いて印刷した測定チャートの測定を行う。外部接続された分光測色器を用いる場合は、ユーザーが印刷されたチャートを取り出し、手動で分光測色器を用いて測定を行う。色度値はクライアントコンピュータ４３０よりジョブコントローラ１３０まで送付される。
【０１０７】
ステップＳ１６０７で、キャリブレーション実行制御部５０１は、パラメータ保持部５０２より、パッチ管理テーブル１３０１を取得する。濃度域を参照し、信号値の低いグレー判定パッチから順に、グレー判定パッチのそれぞれの色度値を取得する。
【０１０８】
ステップＳ１６０８で、キャリブレーション実行制御部５０１は、ステップＳ１６０７で取得したグレー判定パッチに対応する測色された色度値から、最もグレー軸に近い（クロマ値が最小）パッチを判断する。そしてこのパッチのクロマ値をシフト量として、濃度域シフト量テーブルをパラメータ保持部５０２に保存する。
【０１０９】
ステップＳ１６０９で、キャリブレーション実行制御部５０１は、パラメータ保持部５０２に格納されているパッチ管理テーブル１３０１を参照し、ステップＳ１６０８におけるグレー補正の実行が、全濃度域に対して行われたかどうかを判断する。全濃度域に対してグレー補正が行われていないと判断された場合、ステップＳ１６０７に戻り、次の濃度域に対してステップＳ１６０８以降の処理を実行する。全濃度域に対するグレー補正が行われたと判断した場合、ステップＳ１６１０に移行する。
【０１１０】
ステップＳ１６１０で、キャリブレーション実行制御部５０１が、パラメータ保持部５０２を参照し、濃度域シフト量テーブルより全濃度域に対するＣシフト量とＭシフト量、Ｙシフト量を各々取得する。キャリブレーション実行制御部５０１はシアン、マゼンタと黄色それぞれの補正カーブを生成し、ステップＳ１６９９において処理を終了する。
図１５は、本実施例における測定チャートの種類と流れを表す図である。
キャリブレーション実行制御部５０１は、グレー補正のための測定チャート１５０１を印刷・測定し、測定値を用いて高濃度域境界値の判定を行う。次に高濃度域の色相シフト方向判定用チャート１５０２を印刷・測定し、グレーシフト方向を判定し、固定する色を決める。固定する色の判定に基づいて、Ｃを固定したグレー判定パッチ１５０３、またはＭを固定したグレー判定パッチ１５０４、またはＹを固定したグレー判定パッチ１５０５のうち一つを印刷・測定し、高濃度域におけるグレー補正を行う。
【０１１１】
以上のように制御をすることで、湿式電子写真方式の画像形成装置において、単色階調性の低下を防ぐグレー補正が可能となる。また、実施例１では考慮できなかった高濃度域のグレー補正についても階調性を保つことが可能になる。
【０１１２】
（その他の実施例）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2016100637.tif 000003
【図２】
2016100637.tif 000004
【図３】
2016100637.tif 000005
【図４】
2016100637.tif 000006
【図５】
2016100637.tif 000007
【図６】
2016100637.tif 000008
【図７】
2016100637.tif 000009
【図８】
2016100637.tif 000010
【図９】
2016100637.tif 000011
【図１０】
2016100637.tif 000012
【図１１】
2016100637.tif 000013
【図１２】
2016100637.tif 000014
【図１３】
2016100637.tif 000015
【図１４】
2016100637.tif 000016
【図１５】
2016100637.tif 000017
【図１６】
2016100637.tif 000018
【図１７】
2016100637.tif 000019
【図１８】
2016100637.tif 000020
【図１９】
2016100637.tif 000021